(57)【特許請求の範囲】
【請求項１】
無線基地局と無線通信する第１の無線機器は、当該第１の無線機器とは異なる第２の無線機器どうしの前記無線基地局を介さない無線機器間通信用に割り当てられた無線リソースにて、前記第１の無線機器の識別情報を送信し、
前記第２の無線機器は、
前記第１の無線機器から受信した前記識別情報を用いて、前記無線基地局が前記識別情報を用いて符号化して前記第１の無線機器宛に送信した無線リソースの割当情報を復号し、前記無線機器間通信に用いる無線リソースを、前記復号の結果が示す無線リソースと重複しない無線リソースに制御する、無線通信システム。
【請求項２】
無線基地局と無線通信する第１の無線機器は、当該第１の無線機器とは異なる第２の無線機器どうしの前記無線基地局を介さない無線機器間通信用に割り当てられた無線リソースにて、前記第１の無線機器の識別情報を送信し、
前記第２の無線機器は、
前記第１の無線機器から受信した前記識別情報を前記無線基地局へ送信し、
前記無線基地局は、
受信した前記識別情報によって識別される前記第１の無線機器が前記無線基地局との無線通信に用いる無線リソースを、前記無線機器間通信用の無線リソースと重複しない無線リソースに制御する、無線通信システム。
【請求項３】
無線基地局と無線通信する第１の無線機器は、当該第１の無線機器とは異なる第２の無線機器どうしの前記無線基地局を介さない無線機器間通信用に割り当てられた無線リソースにて、前記第１の無線機器の識別情報を送信し、
前記第２の無線機器は、
前記第１の無線機器が送信した前記識別情報の受信に応じて、前記無線機器間通信を所定の時間停止する、無線通信システム。
【請求項４】
無線基地局と無線通信する第１の無線機器は、当該第１の無線機器とは異なる第２の無線機器どうしの前記無線基地局を介さない無線機器間通信用に割り当てられた無線リソースにて、前記第１の無線機器の識別情報を送信し、
前記第２の無線機器は、
受信した前記識別情報の数が閾値を超えていると、前記無線機器間通信を所定の時間停止する、無線通信システム。
【請求項５】
前記第１の無線機器は、
前記第１の無線機器の識別情報を、前記無線機器間通信を行なう無線機器を探索するための探索信号に含めて送信する、請求項１〜４のいずれか１項に記載の無線通信システム。
【請求項６】
無線基地局と無線通信する第１の無線機器は、当該第１の無線機器とは異なる第２の無線機器どうしの前記無線基地局を介さない無線機器間通信用に割り当てられた無線リソースにて、前記第１の無線機器の識別情報を送信し、
前記第２の無線機器は、前記第１の無線機器から受信した前記識別情報を用いて、前記無線基地局が前記識別情報を用いて符号化して前記第１の無線機器宛に送信した無線リソースの割当情報を復号し、前記無線機器間通信に用いる無線リソースを、前記復号の結果が示す無線リソースと重複しない無線リソースに制御する、無線通信方法。
【請求項７】
無線基地局と無線通信する第１の無線機器は、当該第１の無線機器とは異なる第２の無線機器どうしの前記無線基地局を介さない無線機器間通信用に割り当てられた無線リソースにて、前記第１の無線機器の識別情報を送信し、
前記第２の無線機器は、前記第１の無線機器から受信した前記識別情報を前記無線基地局へ送信し、
前記無線基地局は、前記第２の無線機器から受信した前記識別情報によって識別される前記第１の無線機器が前記無線基地局との無線通信に用いる無線リソースを、前記無線機器間通信用の無線リソースと重複しない無線リソースに制御する、無線通信方法。
【請求項８】
無線基地局を介さずに第１の無線機器と無線機器間通信を行なう第２の無線機器であって、
前記無線基地局と無線通信すると共に、前記第１及び第２の無線機器とは異なる第３の無線機器が、前記無線機器間通信用に割り当てられた無線リソースにて送信した前記第３の無線機器の識別情報を受信する受信部と、
前記無線基地局が前記識別情報を用いて符号化して前記第３の無線機器宛に送信した無線リソースの割当情報を、前記受信部にて受信した前記識別情報を用いて復号する復号部と、
前記無線機器間通信に用いる無線リソースを、前記復号の結果が示す無線リソースと重複しない無線リソースに制御する制御部と、を備えた、無線機器。
【請求項９】
無線基地局を介さずに第１の無線機器と無線機器間通信を行なう第２の無線機器であって、
前記無線基地局と無線通信すると共に、前記第１及び第２の無線機器とは異なる第３の無線機器が、前記無線機器間通信用に割り当てられた無線リソースにて送信した前記第３の無線機器の識別情報を受信する受信部と、
前記受信部での前記識別情報の受信に応じて、前記無線機器間通信を所定の時間停止する制御部を備えた、無線機器。
【請求項１０】
無線基地局を介さずに第１の無線機器と無線機器間通信を行なう第２の無線機器であって、
前記無線基地局と無線通信すると共に、前記第１及び第２の無線機器とは異なる第３の無線機器が、前記無線機器間通信用に割り当てられた無線リソースにて送信した前記第３の無線機器の識別情報を受信する受信部と、
前記受信部にて閾値を超える数の前記識別情報が受信されると、前記無線機器間通信を所定の時間停止する制御部を備えた、無線機器。
【請求項１１】
無線機器と無線通信する無線基地局であって、
請求項８に記載の第２の無線機器の受信部で受信した前記識別情報を前記無線基地局に送信する当該第２の無線機器の送信部が送信した前記識別情報を受信する受信部と、
前記受信部で受信した前記識別情報によって識別される前記第３の無線機器が前記無線基地局との無線通信に用いる無線リソースを、前記無線機器間通信用の無線リソースと重複しない無線リソースに制御する制御部と、を備えた無線基地局。
【発明の詳細な説明】
【技術分野】
【０００１】
本発明は、無線通信システム、無線通信方法、無線機器、及び、無線基地局に関する。
【背景技術】
【０００２】
３ＧＰＰ（3rd Generation Partnership Project）のＬＴＥ（Long Term Evolution）やＬＴＥ−Ａｄｖａｎｃｅｄの標準化において、デバイスツーデバイス（Device to Device, D2D）通信について議論されている。【０００３】
Ｄ２Ｄ通信は、無線基地局を介さずに移動局等の無線機器どうしが直接に無線通信する技術の一例である。Ｄ２Ｄ通信は、例えば、大規模災害等によって無線基地局を介した無線通信（「セルラー通信」と称してもよい。）が不能になったシナリオでの代替的あるいは補助的なパブリックセーフティ通信の一例として議論されている。
【先行技術文献】
【非特許文献】
【０００４】
【非特許文献１】RP-122009, “Study on LTE Device to Device Proximity Services”, Qualcomm, Dec. 2012.
【非特許文献２】TR36.843 V0.3.1, “Study on LTE Device to Device Proximity Services - Radio Aspects”, Nov. 2013.
【発明の概要】
【発明が解決しようとする課題】
【０００５】
しかしながら、Ｄ２Ｄ通信に関する上記議論においては、セルラー通信とＤ２Ｄ通信との間の干渉の影響について十分に検討されているとはいえない。そのため、無線通信システムとしての性能や特性、効率等（「無線通信性能」と総称してよい。）が低下することがある。【０００６】
１つの側面では、本発明の目的の１つは、無線通信性能の向上を図ることにある。
【課題を解決するための手段】
【０００７】
１つの側面において、無線通信システム（又は、無線通信方法）は、無線基地局と無線通信する第１の無線機器が、当該第１の無線機器とは異なる第２の無線機器どうしの前記無線基地局を介さない無線機器間通信用に割り当てられた無線リソースにて、前記第１の無線機器の識別情報を送信する。
【０００８】
また、１つの側面において、無線機器は、当該無線機器の識別情報を、当該無線機器とは異なる他の無線機器どうしの無線基地局を介さない無線機器間通信用に割り当てられた無線リソースにて送信する送信部を備える。
【０００９】
更に、１つの側面において、無線機器は、無線基地局を介さずに第１の無線機器と無線機器間通信を行なう第２の無線機器であって、前記無線基地局と無線通信すると共に、前記第１及び第２の無線機器とは異なる第３の無線機器が、前記無線機器間通信用に割り当てられた無線リソースにて送信した前記第３の無線機器の識別情報を受信する受信部を備える。
【００１０】
また、１つの側面において、無線基地局は、前記第２の無線機器が送信した前記第３の無線機器の識別情報を受信する受信部と、前記受信部で受信した前記識別情報によって識別される前記第３の無線機器が前記無線基地局との無線通信に用いる無線リソースを、前記無線機器間通信用の無線リソースと重複しない無線リソースに制御する制御部と、を備える。
【発明の効果】
【００１１】
１つの側面として、無線通信性能の向上を図ることができる。
【図面の簡単な説明】
【００１２】
【図１】第１実施形態に係る無線通信システムの構成例を示す図である。
【図２】（Ａ）はＤ２Ｄ通信とセルラー通信とで異なる周波数リソースを用いる様子を模式的に示す図であり、（Ｂ）はＤ２Ｄ通信とセルラー通信とで同じ周波数リソースを共用する様子を模式的に示す図である。
【図３】図１に例示する無線基地局でのＰＤＣＣＨの送信信号の生成手順の一例を示す図である。
【図４】図１に例示する移動局のＰＵＳＣＨの送信タイミングを説明する図である。
【図５】図１に例示する無線通信システムにおいてセルラー通信を行なう移動局がディスカバリ信号（ＤＳ）を送信する様子を模式的に示す図である。
【図６】図１及び図５に例示する無線基地局の構成例を示すブロック図である。
【図７】図１及び図５に例示する、Ｄ２Ｄ通信を行なう移動局の構成例を示すブロック図である。
【図８】図１及び図５に例示する、セルラー通信を行なう移動局の構成例を示すブロック図である。
【図９】図１及び図５に例示する無線通信システムの動作（第１の干渉回避方法）を説明するためのシーケンス図である。
【図１０】第２実施形態に係る無線通信システムの動作（第２の干渉回避方法）を説明するシーケンス図である。
【図１１】第３実施形態に係る無線通信システムの動作（第３の干渉回避方法）を説明するためのフローチャートである。
【図１２】第４実施形態に係る無線通信システムの動作（第４の干渉回避方法）を説明するためのフローチャートである。
【発明を実施するための形態】
【００１３】
以下、図面を参照して本発明の実施の形態を説明する。ただし、以下に説明する実施形態は、あくまでも例示であり、以下に明示しない種々の変形や技術の適用を排除する意図はない。また、以下に説明する各実施形態は、適宜に組み合わせて実施しても構わない。なお、以下の実施形態で用いる図面において、同一符号を付した部分は、特に断らない限り、同一若しくは同様の部分を表す。
【００１４】
（第１実施形態）
図１は、第１実施形態に係る無線通信システムの構成例を示す図である。図１に示す無線通信システム１は、例示的に、１又は複数の無線基地局１０と、複数の移動局２０−１〜２０−Ｎ（＃１〜＃Ｎ）（Ｎは２以上の整数）と、を備える。ただし、図１には、Ｎ＝４の場合、すなわち、４台の移動局２０−１〜２０−４を例示している。移動局２０−１〜２０−Ｎを区別しなくてよい場合は、単に「移動局２０」と表記することがある。
【００１５】
無線基地局１０は、無線エリア１００を形成する。無線エリア１００内に位置する移動局２０が、無線基地局１０と無線通信することが可能である。無線基地局１００は、複数の無線エリア１００を形成してもよい。無線エリア１００は、無線基地局１０が送信する無線電波の到達範囲に応じて定まる。無線電波の最大到達範囲は、無線基地局１０の最大送信電力によって定まると捉えてよい。
【００１６】
「無線エリア」は、「セル」、「カバレッジエリア」あるいは「通信エリア」と称してもよい。「セル」は「セクタセル」に分割されていてもよい。「セル」には、マクロセルやスモールセルが含まれてよい。スモールセルは、マクロセルよりも電波到達範囲（カバレッジ）の小さいセルの一例である。スモールセルは、カバレッジエリアに応じて呼称が異なってよい。例えば、スモールセルは、「フェムトセル」、「ピコセル」、「マイクロセル」、「ナノセル」、「メトロセル」、「ホームセル」等と称されてもよい。
【００１７】
無線基地局１０は、「ベースステーション（ＢＳ）」、「ノードＢ（ＮＢ）」あるいは「evolved ＮＢ（ｅＮＢ）」と称されてもよい。
【００１８】
移動局２０は、セル１００内に位置するときに無線基地局１０と無線通信が可能な無線機器の一例である。移動局２０は、無線装置、移動端末、端末装置、又は、ユーザ機器（ＵＥ）と称されてもよい。移動局２０の一例は、携帯電話やスマートフォンである。ただし、移動局２０は、車両や航空機、船舶等の移動体に固定された無線機器であってもよい。また、無線機器には、センサネットワークを成す、無線通信機能を具備したセンサデバイスやメータ（測定器）等が含まれてよい。
【００１９】
移動局２０と無線基地局１０との間の無線通信は、「セルラー通信」と称してよい。セルラー通信の無線通信方式には、例示的に、３ＧＰＰのＬＴＥやＬＴＥ−Ａｄｖａｎｃｅｄに準拠した無線通信方式を適用してよい。あるいは、移動局２０と無線基地局１０との間の無線通信には、「Worldwide Interoperability for Microwave Access, (WiMAX)」（登録商標）等の方式に準拠した無線通信方式を適用してもよい。
【００２０】
無線基地局１０は、図１において図示を省略したコアネットワークに通信可能に接続されてよい。コアネットワークには、サービスゲートウェイ（ＳＧＷ）やパケットデータネットワークゲートウェイ（ＰＧＷ）、モビリティマネージメントエンティティ（ＭＭＥ）等が含まれてよい。コアネットワークを含む通信網は、アクセスネットワークと称されてよい。アクセスネットワークは、「Evolved Universal Terrestrial Radio Access Network, E-UTRAN」と称されてもよい。
【００２１】
無線基地局１０は、コアネットワークと例えば有線インタフェースによって接続されてよい。当該有線インタフェースは、「Ｓ１インタフェース」と称されてよい。ただし、無線基地局１０は、無線インタフェースによってコアネットワークと通信可能に接続されても構わない。
【００２２】
また、無線基地局１０は、図１において図示を省略した他の無線基地局１０と例えば有線インタフェースにより通信可能に接続されてよい。当該有線インタフェースは、「Ｘ２インタフェース」と称されてよい。ただし、無線基地局１０は、他の無線基地局と無線インタフェースにより接続されても構わない。
【００２３】
無線基地局１０は、自局１０が形成するセル１００内に位置する移動局２０との間のセルラー通信に無線リソースを割り当てる。無線リソースの割り当ては「スケジューリング」と称してもよい。移動局２０は、無線基地局１０から割り当てられた無線リソースを用いて無線基地局１０とセルラー通信を行なう。
【００２４】
無線リソースは、例示的に、時間及び周波数によって識別されてよい。例えば、無線リソースの識別は、無線通信システム１が利用可能な無線リソースを時間及び周波数によって分割した分割リソースの単位で行なわれてよい。分割リソースは、「リソースブロック（ＲＢ）」と称されてもよいし「リソースエレメント（ＲＥ）」と称されてもよい。
【００２５】
ＲＥは、無線リソース割り当ての最小単位であってよく、例示的に、１つのサブキャリアの１つのシンボルとして定義されてよい。複数のＲＥでＲＥグループ（ＲＥＧ）が構成されてよい。また、複数のＲＥで１つのＲＢが構成されてよい。例えば、周波数領域の１２サブキャリア×時間領域の７シンボル又は６シンボルで１つのＲＢが構成されてよい。無線リソースの割り当て（スケジューリング）は、ＲＢの単位で行なわれてよい。
【００２６】
移動局２０は、無線基地局１０を介さずに他の移動局２０とダイレクトに通信することが可能である。当該通信は、「Device to Device, D2D」通信、「無線機器間通信」あるいは「無線機器間直接通信」と称されてよい。図１には、例示的に、ＵＥ２０−１及びＵＥ２０−２のペアがＤ２Ｄ通信を行なう様子を模式的に例示している。
【００２７】
なお、Ｄ２Ｄ通信は、セルラー通信のインフラストラクチャが稼働しているシナリオにおいても有用である。例えば、ＵＥ２０は、遠方の無線基地局１０を介さないで直接に近隣のＵＥ２０と通信することが可能なため、ＵＥ２０の消費電力を低減可能である。また、セルラー通信のトラフィックをＤ２Ｄ通信にオフロードすることにより、コアネットワーク側の負荷を軽減することが可能である。
【００２８】
Ｄ２Ｄ通信に用いる無線リソースも、無線基地局１０が割り当ててよい。ＵＥ２０は、無線基地局１０から割り当てられた無線リソースを用いて他のＵＥ２０とＤ２Ｄ通信する。Ｄ２Ｄ通信を行なうＵＥ２０は、便宜的に「ＤＵＥ」と称されてよい。これに対して、無線基地局１０とセルラー通信を行なうＵＥ２０は、便宜的に「ＣＵＥ」と称されてよい。ＵＥ２０は、セルラー通信とＤ２Ｄ通信の双方をサポートしてよい。
【００２９】
Ｄ２Ｄ通信及びセルラー通信に用いられる無線リソース（例えば、周波数リソース）の割り当てに関しては、周波数利用効率と干渉とのトレードオフの関係がある。例えば図２（Ａ）に模式的に示すように、Ｄ２Ｄ通信とセルラー通信とで使用する周波数リソースを異ならせることとすれば、Ｄ２Ｄ通信とセルラー通信との間の干渉は生じない。しかし、使用できる周波数リソースには限りがあるため、無線通信システム１としてのシステム容量が減少する可能性がある。
【００３０】
これに対し、例えば図２（Ｂ）に模式的に示すように、Ｄ２Ｄ通信とセルラー通信とで同じ周波数リソースを共用すれば、使用できる周波数リソースは図２（Ａ）の場合よりも増やせる。しかし、Ｄ２Ｄ通信とセルラー通信とで同じ周波数リソースが割り当てられると、無線電波の干渉が生じ得る。
【００３１】
例えば、Ｄ２Ｄ通信の信号は、ＦＤＤ（Frequency Division Duplex）のセルラー通信においてアップリンク（ＵＬ）の通信に割り当てられる周波数帯域を用いて伝送されてよい。したがって、Ｄ２Ｄ通信とＵＬのセルラー通信とが干渉し得る。
【００３２】
例えば図１において、ＤＵＥ２０−１及びＤＵＥ２０−２間のＤ２Ｄ通信と、ＣＵＥ２０−３及び２０−４と無線基地局１０との間のＵＬのセルラー通信と、に同じ周波数リソースが割り当てられているとする。
【００３３】
この場合、Ｄ２Ｄ通信とセルラー通信とが距離的に近いと互いに干渉が発生し易くなる。例えば、ＣＵＥ２０−３の無線基地局１０へのＵＬ送信（送信電波）が、ＤＵＥ２０−１のＤＵＥ２０−２への送信電波に干渉する可能性がある。
【００３４】
また、ＤＵＥ２０−１のＤＵＥ２０−２への送信電波が、ＣＵＥ２０−３の無線基地局１０へのＵＬ送信（送信電波）に干渉する可能性がある。
【００３５】
更に、セルラー通信を行なっているＣＵＥ２０−４がセル端近傍に位置しているために、セルラー通信において送信電力の増加制御が実施されていると、セルラー通信がＤ２Ｄ通信に対して大きな干渉源となる。
【００３６】
干渉が発生すると、結果的に、無線通信システム１としてのシステム容量が減少する等、無線通信性能が低下する可能性がある。
【００３７】
そこで、本実施形態では、Ｄ２Ｄ通信とセルラー通信とで同じ無線リソース（例えば、周波数帯域）を共用する場合であっても、Ｄ２Ｄ通信とセルラー通信との間の干渉を回避可能にして、システム容量の増大化を図る。
【００３８】
（第１の干渉回避方法）
例えば、Ｄ２Ｄ通信を行なうＤＵＥ２０は、無線基地局１０からセルラー通信を行なうＣＵＥ２０に割り当てられる無線リソースの検出を試みる。ＤＵＥ２０は、検出に成功すると、ＣＵＥ２０に割り当てられた無線リソースを用いてはＤ２Ｄ通信を行なわない（「抑止する」と称してもよい）。ＤＵＥ２０は、ＣＵＥ２０に割り当てられた無線リソースとは異なる無線リソースにてＤ２Ｄ通信を行なってよい。
【００３９】
無線基地局１０からＣＵＥ２０に割り当てられる無線リソースの検出は、例示的に、無線基地局１０からＣＵＥ２０宛に送信される、セルラー通信におけるアップリンク（ＵＬ）の送信許可情報を検出（復号）することで実施可能である。ＵＬの送信許可情報は、ＵＬグラント（UL grant）と称されることがある。
【００４０】
ＵＬグラントは、例示的に、無線基地局１０からＣＵＥ２０に対してダウンリンクの制御チャネル（Physical Downlink Control Channel, PDCCH）にて送信される。「ＵＬグラント」を示す制御情報には、例示的に、ダウンリンク制御情報（ＤＣＩ）として、ＣＵＥ２０がアップリンクの共有チャネル（Physical Uplink Shared Channel, PUSCH）を用いた送信に使用する周波数リソースの情報が含まれてよい。別言すると、「ＵＬグラント」には、ＣＵＥ２０に対するＵＬの無線リソースの割当情報が含まれてよい。なお、「ＵＬグラント」を示す制御情報のフォーマットは、「ＤＣＩフォーマット０」あるいは「ＤＣＩフォーマット４」と称されることがある。
【００４１】
図３に、無線基地局１０でのＰＤＣＣＨの送信信号の生成手順の一例を示す。図３の（１）〜（２）に例示するように、無線基地局１０は、ＤＣＩを誤り検出符号化してＤＣＩに巡回冗長検査（Cyclic Redundancy Check, CRC）符号（ビット）を付加する。
【００４２】
ＤＣＩに付加されるＣＲＣビットは、図３の（２）〜（３）に例示するように、ＰＤＣＣＨの宛先であるＣＵＥ２０の識別子のビット表現によりマスク処理される。ＣＵＥ２０の識別子は、例示的に、Ｃ−ＲＮＴＩ（Cell-Radio Network Temporary Identifier）であってよい。
【００４３】
なお、Ｃ−ＲＮＴＩは、恒久的な識別子ではなく、例えば、ＣＵＥ２０が無線基地局１０に対して接続を要求する毎に割り当てられるような一時的な識別子の一例である。例示的に、Ｃ−ＲＮＴＩは、ＣＵＥ２０が無線基地局１０にランダムアクセスする時のランダムアクセス手順において無線基地局１０によって当該ＣＵＥ２０に割り当てられてよい。
【００４４】
Ｃ−ＲＮＴＩによってマスク処理されたＣＲＣビットが付加されたＤＣＩは、図３の（３）〜（４）に例示するように、誤り訂正符号化及びデータ変調を施され、これにより、ＰＤＣＣＨの送信信号が生成される。
【００４５】
生成されたＰＤＣＣＨの送信信号は、図３の（４）〜（５）に例示するように、他のＣＵＥ２０宛のＰＤＣＣＨの送信信号と連結され、インタリーブされた後、時間及び周波数で識別される無線リソース（ＲＥＧ）にマッピングされて送信される。
【００４６】
ＣＵＥ２０は、無線基地局１０からＰＤＣＣＨの信号を受信すべき無線リソースを無線基地局１０から知らされていなければ、既定の探索範囲（「サーチスペース」と称してよい。）で受信信号の復号を試みる。
【００４７】
ＣＵＥ２０は、復号結果に対して自身のＣ−ＲＮＴＩでＣＲＣビットのマスクを解除して誤り検出を行なう。誤りの無い復号結果が「ＵＬグラント」を示す。「ＵＬグラント」の復号に成功すると、ＣＵＥ２０は、例えば図４に例示するように、「ＵＬグラント」の受信から一定時間（例えば、４ｍｓ）経過後に、ＤＣＩに示される周波数リソースにてＰＵＳＣＨの信号を送信する。
【００４８】
このように、ＰＤＣＣＨにて送信される「ＵＬグラント」のＣＵＥ２０での復号処理には、当該ＣＵＥ２０のＣ−ＲＮＴＩでＣＲＣビットのマスクを解除する処理が含まれる。したがって、ＤＵＥ２０が、セルラー通信を行なう他のＣＵＥ２０のＣ−ＲＮＴＩを取得できれば、ＤＵＥ２０が、当該Ｃ−ＲＮＴＩを用いてＣＵＥ２０宛のＰＤＣＣＨの信号の復号を試みることで、ＣＵＥ２０宛の「ＵＬグラント」を復号できる。
【００４９】
ＣＵＥ２０宛の「ＵＬグラント」の復号に成功すれば、ＤＵＥ２０は、当該ＣＵＥ２０に割り当てられた周波数リソースを検出できる。したがって、ＤＵＥ２０は、ＣＵＥ２０に割り当てられた周波数リソースを用いたＤ２Ｄ通信を行なわないことで、Ｄ２Ｄ通信とセルラー通信との干渉を回避できる。なお、ＤＵＥ２０が、他のＣＵＥ２０宛にＰＤＣＣＨで送信されるＰＤＣＣＨの信号（ＵＬグラント）の復号を試行することは、「スニファリング」と称してもよい。
【００５０】
ＤＵＥ２０による「スニファリング」を可能にするには、例示的に、セルラー通信を行なうＣＵＥ２０が、無線基地局１０から割り当てられたＤ２Ｄ通信用の周波数リソース（「キャリア」と称してもよい。）において、当該ＣＵＥ２０のＣ−ＲＮＴＩを送信する。
【００５１】
Ｃ−ＲＮＴＩは、図５に模式的に例示するように、Ｄ２Ｄ通信を行なうＤＵＥ２０を探索するための探索信号に含められてよい。探索信号は、「ディスカバリ信号（ＤＳ）」と称してもよい。
【００５２】
ＤＳは、近隣のＤＵＥ２０探索（ディスカバリ）するために送信される信号の一例であり、例示的に、ＣＵＥ２０に共通の識別子（cell-specific ID）に基づいて生成され、ＣＵＥ２０に共通の無線リソースにて送信されてよい。
【００５３】
ＤＳは、図５中に例示するように、「シーケンス（Sequence）」と「メッセージ（message）」とが時分割に送信される信号であってよい。
【００５４】
「シーケンス」は、Ｄ２Ｄ通信の無線リンクを確立するために用いられる信号の一例であり、例示的に、ＤＵＥ２０どうしで既知の信号との相関検出用信号であってよい。「シーケンス」のフォーマットには、例示的に、物理ランダムアクセスチャネル（Physical Random Access Channel, PRACH）やＳＲＳ（Sounding Reference Signal）のフォーマットを利用してよい。
「メッセージ」は、制御情報を伝送する信号の一例であり、「シーケンス」に付随する情報の一例であると捉えてよい。「メッセージ」のフォーマットには、例示的に、ＰＵＳＣＨのフォーマットを利用してよい。「メッセージ」を用いて伝送される制御情報は、例示的に、１００ビット程度の情報量であってよい。「シーケンス」と「メッセージ」とは、異なる物理チャネルにて送信されてよい。
【００５５】
ＤＳの送信頻度（あるいは送信周期）は、ＣＵＥ２０の位置変化に対応できる程度の頻度（あるいは周期）に設定されてよい。また、ＤＳを送信するＣＵＥ２０は、セル１００内に位置するすべてのＣＵＥ２０であってもよいし、一部のＣＵＥ２０に限られてもよい。例えば、無線基地局１００から離れた場所（例えば、セル端近傍等）に位置するＣＵＥ２０に限ってＤＳを送信することとしてよい。
【００５６】
セル端近傍に位置するＣＵＥ２０は、既述のとおりセルラー通信の送信電力増加制御によって周囲のＤ２Ｄ通信に対して大きな干渉源となり得るので、そのようなＣＵＥ２０に限ってＤＳを送信することとしても、干渉回避効果を見込める。
【００５７】
一方、ＤＵＥ２０は、ＣＵＥ２０が送信したＤＳを受信、検出する。ＤＵＥ２０がＤＳを受信、検出可能であることは、当該ＤＳを送信したＣＵＥ２０が、ＤＳを受信したＤＵＥ２０のＤ２Ｄ通信に対して干渉源となり得ることを意味する。別言すると、ＤＵＥ２０は、自身のＤ２Ｄ通信に対して干渉源となり得るＣＵＥ２０が送信したＤＳに限って受信、検出が可能である。
【００５８】
ＤＵＥ２０は、ＤＳを受信すると、受信したＤＳの「メッセージ」に含まれるＣ−ＲＮＴＩを取得する。以後、ＤＵＥ２０は、取得したＣ−ＲＮＴＩを用いて、ＣＵＥ２０宛にＰＤＣＣＨで送信される「ＵＬグラント」の復号を試行できる。
【００５９】
「ＵＬグラント」の復号に成功したＤＵＥ２０は、当該「ＵＬグラント」において示されるＵＬの周波数リソースの割当情報を基に、当該「ＵＬグラント」の宛先ＣＵＥ２０がＰＵＳＣＨにてＵＬの送信に使用する周波数リソースではＤ２Ｄ通信を行なわない。なお、Ｄ２Ｄ通信のデータ伝送（Communication）では、ＰＵＳＣＨベースの信号が送受信されてよい。
【００６０】
以下、上述した第１の干渉回避方法を実現する、無線基地局１０、ＤＵＥ２０及びＣＵＥ２０の構成例について、図６〜図８を参照して説明する。図６は、無線基地局１０の構成例を示すブロック図であり、図７は、ＤＵＥ２０の構成例を示すブロック図であり、図８は、ＣＵＥ２０の構成例を示すブロック図である。なお、以下において、ＤＵＥ２０は、便宜的に「ＤＵＥ２０Ｄ」と表記し、ＣＵＥ２０は、便宜的に「ＣＵＥ２０Ｃ」と表記することがある。
【００６１】
（無線基地局１０の構成例）
図６に示すように、無線基地局１０は、例示的に、スケジューラ１１１、ＰＤＳＣＨ生成部１１２Ａ、ＰＤＣＣＨ（ＵＬグラント）生成部１１２Ｂ、物理チャネル多重部１１３、送信ＲＦ（Radio Frequency）部１１４、及び、送信アンテナ１１５を備える。
【００６２】
スケジューラ１１１は、無線基地局１０の動作を統括的に制御する制御部の一例、あるいは当該制御部に含まれる機能部の一例であると捉えてよい。ＰＤＳＣＨ生成部１１２Ａ、ＵＬグラント生成部１１２Ｂ、物理チャネル多重部１１３、送信ＲＦ部１１４、及び、送信アンテナ１１５は、無線基地局１０のＤＬ送信系（送信部あるいは送信機）の一例を成すと捉えてよい。
【００６３】
また、図６に例示するように、無線基地局１０は、ＵＬ受信系（受信部あるいは受信機）の一例として、受信アンテナ１２１、受信ＲＦ部１２２、及び、ＰＵＳＣＨ復調部１２３を備える。
【００６４】
スケジューラ１１１は、例示的に、Ｄ２Ｄ通信用の無線リソースの割当情報と、ＰＵＳＣＨ用の無線リソースの割当情報と、の生成をサポートする。なお、「無線リソースの割当情報」は、単に「リソース割当情報」と称してよい。
【００６５】
そのため、スケジューラ１１１は、例示的に、Ｄ２Ｄスケジューラ１１１Ａと、ＰＵＳＣＨスケジューラ１１１Ｂと、を備える。
【００６６】
Ｄ２Ｄスケジューラ１１１Ａは、例示的に、Ｄ２Ｄ通信に用いてよい無線リソースを内部的に設定する。Ｄ２Ｄスケジューラ１１１Ａは、いずれかのＵＥ２０からＤ２Ｄ通信用の無線リソースの割当要求を受信すると、Ｄ２Ｄ通信用の無線リソースの割当情報を生成する。
【００６７】
ＰＵＳＣＨスケジューラ１１１Ｂは、例示的に、いずれかのＵＥ２０からＰＵＳＣＨについての送信許可要求を受信すると、ＰＵＳＣＨ用の無線リソースの割当情報を生成する。
【００６８】
ＰＤＳＣＨ生成部１１２Ａは、ＰＤＳＣＨにてＤＬ送信する信号（ＰＤＳＣＨ信号）を生成する。ＰＤＳＣＨ信号は、例示的に、既述のコアネットワークから受信される、ＣＵＥ２０宛のＤＬデータ信号を基に生成される。データ信号は、「ユーザデータ」あるいは「ユーザ（Ｕ）プレーン信号」と称してもよい。
【００６９】
ＰＤＣＣＨ生成部１１２Ｂは、ＣＵＥ２０宛のＰＤＣＣＨ信号を生成する。ＰＤＣＣＨ信号には、図３に例示したようにＤＣＩ（ＵＬグラント）が含められてよい。
【００７０】
物理チャネル多重部１１３は、ＰＤＳＣＨ生成部１１２Ａ及びＰＤＣＣＨ生成部１１２Ｂで生成されたＰＤＳＣＨ信号及びＰＤＣＣＨ信号を多重化して送信ＲＦ部１１４へ出力する。
【００７１】
送信ＲＦ部１１４は、物理チャネル多重部１１３にて多重化された物理チャネルの送信信号を無線周波数（ＲＦ）の信号（無線電波）に変換（例えば、アップコンバート）し、規定の送信電力にて送信アンテナ１１５へ出力する。
【００７２】
送信アンテナ１１５は、送信ＲＦ部１１４からのＲＦ信号を空間に放射する。
【００７３】
受信アンテナ１２１は、いずれかのＵＥ２０が空間に放射した無線電波（別言すると、ＵＬのＲＦ信号）を受信して受信ＲＦ部１２２へ出力する。
【００７４】
受信ＲＦ部１２２は、受信アンテナ１２１で受信されたＵＬのＲＦ信号を例えばベースバンド周波数の信号（以下「ＢＢ信号」と略称することがある。）に変換（例えば、ダウンコンバート）してＰＵＣＣＨ復調部１２３へ出力する。
【００７５】
ＰＵＳＣＨ復調部１２３は、受信ＲＦ部１２２からのＢＢ信号に対して復調処理を施して例えばＰＵＳＣＨ信号を得る。ＰＵＳＣＨ信号には、例示的に、コアネットワークへ送信されるユーザデータが含まれてよい。また、ＰＵＳＣＨ信号には、Ｄ２Ｄ通信用のリソース割当要求が含まれてよい。復調されたリソース割当要求は、例示的に、Ｄ２Ｄスケジューラ１１１Ａに与えられる。
【００７６】
なお、送信アンテナ１１５と受信アンテナ１２１とは、例えばアンテナ共用器を用いてＤＬとＵＬとで共用の送受信アンテナとして構成されてもよい。この場合、送信ＲＦ部１１４と受信ＲＦ部１２２とは、送受信ＲＦ部として共通化（あるいは一体化）されても構わない。
【００７７】
また、各部１１１，１１２Ａ，１１２Ｂ，１１３，１１４，１２２及び１２３の一部又は全部は、ＣＰＵやＭＰＵ、ＦＰＧＡ等の演算能力を備えた演算装置によって具現されてよい。当該演算装置は、「ハードウェアプロセッサ」あるいは「プロセッサデバイス」と称してもよい。
【００７８】
（ＤＵＥ２０Ｄの構成例）
図７に示すＤＵＥ２０Ｄは、セルラー通信とＤ２Ｄ通信とをサポートし、例示的に、図５のＤＵＥ２０−１又は２０−２に相当する。図７に例示するように、ＤＵＥ２０Ｄは、受信アンテナ２１１〜２１３、送信アンテナ２１４，２１５、受信ＲＦ部２２１〜２２３、及び、送信ＲＦ部２２４，２２５を備える。
【００７９】
また、図７のＤＵＥ２０Ｄは、例示的に、ＰＤＳＣＨ復調部２３１、ＰＤＣＣＨ復調部２３２、ＤＳ検出部２４１、及び、ＰＵＳＣＨ生成部２４２を備える。更に、図７のＤＵＥ２０Ｄは、例示的に、Ｄ２Ｄデータ信号復調部２５１、ＤＳ検出部２５２、ＤＳ応答検出部２５３、スケジューラ２６１、ＤＳ応答生成部２６２、ＤＳ生成部２６３、Ｄ２Ｄデータ信号生成部２６４、及び、切替部２６５を備える。
【００８０】
受信アンテナ２１１は、セルラー通信におけるＤＬのＲＦ信号を受信して受信ＲＦ部２２１へ出力する。
【００８１】
受信ＲＦ部２２１は、受信アンテナ２１１で受信されたＤＬのＲＦ信号を例えばＢＢ信号にダウンコンバートしてＰＤＳＣＨ復調部２３１とＰＤＣＣＨ復調部２３２とに出力する。
【００８２】
ＰＤＳＣＨ復調部２３１は、受信ＲＦ部２２１からのＢＢ信号に対して復調処理を施すことによりＰＤＳＣＨ信号を復調する。復調したＰＤＳＣＨ信号がＤ２Ｄ通信用のリソース割当情報を示す場合、当該リソース割当情報は、スケジューラ２６１に与えられる。なお、Ｄ２Ｄ通信用のリソース割当情報が周波数リソースの割当情報である場合、当該割当情報は、「Ｄ２Ｄキャリア情報」と称してもよい。
【００８３】
ＰＤＣＣＨ復調部２３２は、受信ＲＦ部２２１からのＢＢ信号に対して復調処理を施すことによりＰＤＣＣＨ信号を復調する。当該復調処理には、誤り訂正復号化等の復号処理が含まれてよい。復調したＰＤＣＣＨ信号がセルラー通信におけるＰＵＳＣＨ用のリソース割当情報を示す場合、当該リソース割当情報は、スケジューラ２６１に与えられる。
【００８４】
また、ＰＤＣＣＨ復調部２３２は、ＤＳ検出部２４１にて検出された受信ＤＳの「メッセージ」に含まれるＣ−ＲＮＴＩを基に、既述のとおり他のＣＵＥ２０宛のＰＤＣＣＨ信号に含まれるＵＬグラントの復調、復号を試行する。
【００８５】
したがって、ＰＤＣＣＨ復調部２３２は、無線基地局１０がＣ−ＲＮＴＩを用いて符号化してＣＵＥ２０宛に送信した無線リソースの割当情報を、ＤＳ検出部２４１にて検出されたＣ−ＲＮＴＩを用いて復号する復号部の一例であると捉えてよい。
【００８６】
受信アンテナ２１２は、セルラー通信におけるＵＬのＲＦ信号を受信して受信ＲＦ部２２２へ出力する。
【００８７】
受信ＲＦ部２２２は、受信アンテナ２２１で受信されたＵＬのＲＦ信号を例えばＢＢ信号にダウンコンバートしてＤＳ検出部２４１に出力する。
【００８８】
ＤＳ検出部２４１は、受信ＲＦ部２２２から入力されたＢＢ信号からＤＳを検出する。ＤＳが検出されると、当該ＤＳの「メッセージ」に含まれるＣ−ＲＮＴＩがＤ２Ｄ通信の干渉源となるＣＵＥ２０を示す情報としてＰＤＣＣＨ復調部２３２に与えられる。
【００８９】
受信ＲＦ部２２２及びＤＳ検出部２４１は、無線基地局１０と無線通信するＣＵＥ２０が、Ｄ２Ｄ通信用に割り当てられた無線リソースにて送信した当該ＣＵＥ２０の識別情報を受信する受信部の一例であると捉えてよい。
【００９０】
受信アンテナ２１３は、Ｄ２Ｄ通信において他のＤＵＥ２０Ｄが送信したＲＦ信号を受信して受信ＲＦ部２２３へ出力する。
【００９１】
受信ＲＦ部２２３は、受信アンテナ２２３で受信されたＤ２Ｄ通信の受信ＲＦ信号を例えばＢＢ信号にダウンコンバートして、Ｄ２Ｄデータ信号復調部２５１と、ＤＳ検出部２５２と、ＤＳ応答検出部２５３とに出力する。
【００９２】
Ｄ２Ｄデータ信号復調部２５１は、受信ＲＦ部２２３から入力されたＢＢ信号を復調してＤ２Ｄ通信のデータ信号を得る。Ｄ２Ｄ通信が既述のようにＰＵＳＣＨを用いて実施される場合、Ｄ２Ｄデータ信号復調部２５１は、ＰＵＳＣＨ信号を復調するＰＵＳＣＨ復調部２５１であってよい。
【００９３】
ＤＳ検出部２５２は、受信ＲＦ部２２３から入力されたＢＢ信号からＤＳを検出する。当該ＤＳは、例示的に、Ｄ２Ｄ通信のペアを成すＤＵＥ２０Ｄを探索するために他のＤＵＥ２０ＤがＤＳ生成部２６３によって生成し送信したＤＳに相当する。ＤＳ検出部２５２でのＤＳの検出に応じて、ＤＳ応答生成部２６２によってＤＳ応答信号が生成される。
【００９４】
ＤＳ応答検出部２５３は、受信ＲＦ部２２３にて受信された信号から、ＤＳ生成部２６３によって生成され他のＤＵＥ２０宛に送信されたＤＳに対するＤＳ応答信号を検出する。ＤＳ応答信号が検出されたことは、例示的に、スケジューラ２６１に通知される。ＤＳ応答信号の検出に応じて、他のＤＵＥ２０とのＤ２Ｄ通信のペアが形成される。
【００９５】
スケジューラ２６１は、セルラー通信とＤ２Ｄ通信とを制御する制御部の一例である。例示的に、スケジューラ２６１は、Ｄ２Ｄ通信用のリソース割当要求をＰＵＳＣＨ生成部２４２に送信する。ＰＵＳＣＨ生成部２４２は、当該リソース割当要求の受信に応じて、当該リソース割当要求を含む、無線基地局１０宛のＰＵＳＣＨ信号を生成する。
【００９６】
また、スケジューラ２６１は、上述したＤ２Ｄ通信用のリソース割当要求に対する応答としてのリソース割当情報がＰＤＳＣＨ復調部２３１にて復調されると、当該リソース割当情報をＰＤＳＣＨ復調部２３１から受信する。スケジューラ２６１は、当該リソース割当情報の示す周波数リソースにてＤ２Ｄ通信が行なわれるよう、Ｄ２Ｄデータ信号復調部２５１及びＤ２Ｄデータ信号生成部２６４を制御する。
【００９７】
更に、スケジューラ２６１は、ＰＤＣＣＨ復調部２３２にてＤ２Ｄ通信の干渉源となる他のＣＵＥ２０宛のＰＤＣＣＨ信号（ＵＬグラント）の復調、復号に成功すると、当該ＵＬグラントに示される、干渉源ＣＵＥ２０のリソース割当情報を受信する。スケジューラ２６１は、干渉源ＣＵＥ２０のリソース割当情報が示す周波数リソースではＤ２Ｄ通信を抑止するよう、Ｄ２Ｄデータ信号復調部２５１及びＤ２Ｄデータ信号生成部２６４を制御する。
【００９８】
ＰＵＳＣＨ生成部２４２は、セルラー通信におけるＵＬデータ信号を含むＰＵＳＣＨ信号を生成して送信ＲＦ部２２４へ出力する。ＰＵＳＣＨ信号にて、スケジューラ２６１から受信された、Ｄ２Ｄ通信用のリソース割当要求が送信されてよい。
【００９９】
送信ＲＦ部２２４は、ＰＵＳＣＨ生成部２４２で生成された、ベースバンド周波数のＰＵＳＣＨ信号をＲＦ信号に変換（アップコンバート）して送信アンテナ２１４に出力する。
【０１００】
送信アンテナ２１４は、送信ＲＦ部２２４からのＲＦ信号を空間へ放射する。
【０１０１】
ＤＳ生成部２６３は、Ｄ２Ｄ通信のペアを成す他のＤＵＥ２０Ｄを探索するためのＤＳを生成する。当該ＤＳは、他のＤＵＥ２０ＤのＤＳ検出部２５２にて検出される。
【０１０２】
Ｄ２Ｄデータ信号生成部２６４は、例えばスケジューラ２６１から受信したデータ信号を含むＤ２Ｄ通信の送信データ信号を生成する。Ｄ２Ｄ通信が既述のようにＰＵＳＣＨを用いて実施される場合、Ｄ２Ｄデータ信号生成部２５１は、ＰＵＳＣＨ信号を生成するＰＵＳＣＨ生成部２５１であってよい。
【０１０３】
切替部２６５は、例えばスケジューラ２６１による制御に応じて、ＤＳ応答生成部２６２、ＤＳ生成部２６３及びＤ２Ｄデータ信号生成部２６４の出力のいずれかを選択的に送信ＲＦ部２２５に出力する。切替部２６５がスケジューラ２６１によって切り替え制御されることで、Ｄ２Ｄ通信（送信）が制御される。
【０１０４】
送信ＲＦ部２２５は、切替部２６５の出力信号であるＢＢ信号をＲＦ信号に変換（アップコンバート）して送信アンテナ２１５に出力する。
【０１０５】
送信アンテナ２１５は、送信ＲＦ部２２５からのＲＦ信号を空間へ放射する。
【０１０６】
なお、セルラー通信のＤＬの受信アンテナ２１１及びＵＬの受信アンテナ２１２と、Ｄ２Ｄ通信の受信アンテナ２１３と、のいずれか又は全部は、１つの受信アンテナとして共用化（一体化）されてよい。同様にして、セルラー通信のＤＬの受信ＲＦ部２２１及びＵＬの受信ＲＦ部２２２と、Ｄ２Ｄ通信の受信ＲＦ部２２３と、のいずれか又は全部は、１つの受信ＲＦ部として共用化されてよい。
【０１０７】
また、セルラー通信のＵＬの送信アンテナ２１４とＤ２Ｄ通信の送信アンテナ２１５とは、１つの送信アンテナとして共用化されてよい。同様にして、セルラー通信のＵＬの送信ＲＦ部２２４とＤ２Ｄ通信の送信ＲＦ部２２５とは、１つの送信ＲＦ部として共用化されてよい。
【０１０８】
更に、受信アンテナ２１１〜２１３並びに送信アンテナ２１４及び２１５の一部又は全部は、１つの送受信アンテナとして共用化されてよい。同様にして、受信ＲＦ部２２１〜２２３並びに送信ＲＦ部２２４及び２２５の一部又は全部は、１つの送受信ＲＦ部として共用化されてよい。
【０１０９】
また、各部２２１〜２２５，２３１，２３２，２４１，２４２，２５１〜２５３及び２６１〜２６５の一部又は全部は、ＣＰＵやＭＰＵ、ＦＰＧＡ等の演算能力を備えたハードウェアプロセッサと称してもよい。
【０１１０】
（ＣＵＥ２０Ｃの構成例）
図８は、セルラー通信をサポートするＣＵＥ２０Ｃの構成例を示すブロック図である。図８に例示するＣＵＥ２０Ｃは、例えば図５のＣＵＥ２０−３に相当し、自ＵＥ２０−３のＣ−ＲＮＴＩをＤＳにて送信（「報知」と称してもよい。）することが可能なＵＥである。
【０１１１】
図８に示すＣＵＥ２０Ｃは、例示的に、図７により既述のものと同様の、受信アンテナ２１１、受信ＲＦ部２２１、ＰＤＣＣＨ復調部２３２、及び、ＰＤＳＣＨ復調部２３１を備える。また、図８に示すＣＵＥ２０Ｃは、例示的に、図７により既述のものと同様の、送信アンテナ２１４、送信ＲＦ部２２４、及び、ＰＵＳＣＨ生成部２４２を備える。更に、図８に示すＣＵＥ２０Ｃは、ＤＳ生成部２７１及び物理チャネル多重部２７２を備える。
【０１１２】
ＤＳ生成部２７１は、ＰＤＳＣＨ復調部２３１にて復調されたＰＤＳＣＨ信号がＤ２Ｄキャリア情報を示す場合に、当該Ｄ２Ｄキャリア情報をＰＤＳＣＨ復調部２３１から受信する。Ｄ２Ｄキャリア情報の受信に応じて、ＤＳ生成部２７１は、Ｄ２Ｄキャリア情報によって示されるＤ２Ｄ通信用の周波数リソース（キャリア）にて送信する、自ＵＥ２０のＣ−ＲＮＴＩを「メッセージ」に含むＤＳを生成してよい。
【０１１３】
物理チャネル多重部２７２は、ＤＳ生成部２７１で生成されたＤＳと、ＰＵＳＣＨ生成部２４２で生成されたＰＵＳＣＨ信号と、を多重化して送信ＲＦ部２２４に出力する。
【０１１４】
送信ＲＦ部２２４は、ＢＢ信号をＲＦ信号に変換（アップコンバート）して送信アンテナ２１４に出力する。
ＤＳ生成部２７１、物理チャネル多重部２７２及び送信ＲＦ部２２４は、ＣＵＥ２０Ｃの識別情報の一例であるＣ−ＲＮＴＩを、ＤＳの「メッセージ」に含めて送信する送信部の一例であると捉えてよい。
【０１１５】
送信アンテナ２１４は、送信ＲＦ部２２４からのＲＦ信号を空間へ放射する。
【０１１６】
なお、受信アンテナ２１１と送信アンテナ２１４とは、１つの送受信アンテナとして共用化されてよい。同様にして、受信ＲＦ部２２１と送信ＲＦ部２２４とは、１つの送受信ＲＦ部として共用化されてよい。また、各部２２１，２２４，２３１，２３２，２４２，２７１及び２７２の一部又は全部は、ＣＰＵやＭＰＵ、ＦＰＧＡ等の演算能力を備えたハードウェアプロセッサによって具現されてよい。
【０１１７】
（動作例）
以下、上述のごとく構成された無線通信システム１における、セルラー通信とＤ２Ｄ通信との干渉回避方法の一例について、図９に例示するシーケンス図を参照して説明する。
【０１１８】
無線基地局１０は、予めＤ２Ｄ通信用の周波数リソースの設定を行なう（処理Ｐ１１）。当該設定は、図６に例示したスケジューラ１１１（Ｄ２Ｄスケジューラ１１１Ａ）によって実施されてよい。
【０１１９】
図９には、非限定的な一例として、１０個のＲＢ＃０〜＃９がＤ２Ｄ通信に利用可能な周波数リソースに設定される様子を例示している。Ｄ２Ｄ通信用の周波数リソースは、単に「Ｄ２Ｄリソース」と称してもよい。
【０１２０】
Ｄ２Ｄリソースの設定が完了すると、無線基地局１０は、Ｄ２Ｄ通信用のリソース割当情報（Ｄ２Ｄキャリア情報）を例えばＰＤＳＣＨにて送信する（処理Ｐ１２）。ＰＤＳＣＨ信号は、例えば図６に例示したＰＤＳＣＨ生成部１１２Ａによって生成され、物理チャネル多重部１１３、送信ＲＦ部１１４及び送信アンテナ１１５を通じて送信される。
【０１２１】
当該ＰＤＳＣＨ信号は、無線基地局１０のセル１００内に位置するＵＥ２０にて受信される。図９の例では、ＤＵＥ＃１、ＤＵＥ＃２及びＣＵＥ＃３のそれぞれがＰＤＳＣＨ信号を受信する。受信したＰＤＳＣＨ信号は、例えば図７及び図８に例示したＰＤＳＣＨ復調部２３１にて復調される。
【０１２２】
ここで、例えばＤＵＥ＃１が、Ｄ２Ｄ通信のペアとなるＤＵＥ２０を探索するためにＤＳ生成部２６３（図７参照）によってＤＳを生成して送信したとする（処理Ｐ１３）。当該ＤＳは、図９の例では、ＤＵＥ＃２にて受信される。
【０１２３】
ＤＵＥ＃２は、当該ＤＳをＤＳ検出部２５２（図７参照）にて検出すると、ＤＳ応答生成部２６２によってＤＳ応答信号を生成してＤＵＥ＃１宛に送信する（処理Ｐ１４）。ＤＵＥ＃１は、ＤＳ応答信号の受信をＤＳ応答検出部２５３にて検出すると、当該ＤＳ応答信号の送信元ＤＵＥ＃２とＤ２Ｄ通信のペアを形成する。
【０１２４】
Ｄ２Ｄ通信のペアが形成されると、ＤＵＥ＃１は、無線基地局１０に対してＤＵＥ＃２とのＤ２Ｄリソースの割当要求を送信する（処理Ｐ１５）。Ｄ２Ｄリソースの割当要求は、例えば、図７に例示したスケジューラ２６１及びＰＵＳＣＨ生成部２４２を通じて送信アンテナ２１４からＰＵＳＣＨにて送信される。
【０１２５】
無線基地局１０は、ＤＵＥ＃１が送信したＤ２Ｄリソースの割当要求をＰＵＳＣＨ復調部１２３にて受信、復調し、復調したＤ２Ｄリソースの割当要求をＤ２Ｄスケジューラ１１１Ａに与える。Ｄ２Ｄスケジューラ１１１Ａは、Ｄ２Ｄリソースの割当要求の受信に応じて、Ｄ２Ｄ通信リソースに設定したＲＢ＃０〜ＲＢ＃９のうちのいずれか（例示的に、ＲＢ＃１）をＤＵＥ＃１に対して割り当てることを決定する（処理Ｐ１６）。
【０１２６】
なお、Ｄ２Ｄリソースの割り当ては、動的でもよいが、無線基地局１０とＤＵＥ２０との間の通信量をなるべく抑えるために、「準静的」であってよい。「準静的」とは、静的（固定）でなくてよいが「動的」ほどの頻度で変更されないことを意味する、と捉えてよい。
【０１２７】
ＲＢ＃１の割り当て決定に応じて、無線基地局１０は、ＲＢ＃１のリソース割当情報を例えばＰＤＳＣＨにてＤＵＥ＃１宛に送信する（処理Ｐ１７）。当該リソース割当情報を含むＰＤＳＣＨ信号は、例えば図６に例示したＰＤＳＣＨ生成部１１２Ａによって生成される。当該リソース割当情報のＰＤＳＣＨ信号による送信は、無線リソース制御（ＲＲＣ）の一例であると捉えてよい。
【０１２８】
一方、無線基地局１０とセルラー通信を行なうＣＵＥ＃３は、無線基地局１０から受信したＤ２Ｄキャリア情報において、ＵＬのセルラー通信用の周波数リソースにＤ２Ｄ通信が設定されていることが示されていると、ＤＳを送信する（処理Ｐ１８）。当該ＤＳの送信は、周期的に実施してよい。ただし、ＤＳは、非周期的に送信されてもよい。ＤＳは、例えば図８に例示したＤＳ生成部２７１によって生成され、「メッセージ」（図５参照）にＣＵＥ＃３のＣ−ＲＮＴＩが含まれてよい。
【０１２９】
ＣＵＥ＃３が送信した当該ＤＳは、ＣＵＥ＃３の周囲に位置するＵＥ２０のいずれかに受信される。図９の例では、ＤＵＥ＃１が、ＣＵＥ＃３の送信したＤＳを受信する。
【０１３０】
ＤＵＥ＃１は、ＤＳ検出部２４１（図７参照）にてＤＳの受信を検出すると、受信したＤＳの「メッセージ」を復号して当該「メッセージ」に含まれるＣ−ＲＮＴＩを取得（検出）する（処理Ｐ１９）。ＤＵＥ＃１は、検出したＣ−ＲＮＴＩによって識別されるＣＵＥ＃３が、ＤＵＥ＃２とのＤ２Ｄ通信の干渉源になり得ることを認識する。なお、検出したＣ−ＲＮＴＩは、ＰＤＣＣＨ復調部２３２（図７参照）に与えられ、以後、ＣＵＥ＃３のＤＬのセルラー通信におけるＰＤＣＣＨ信号の復調に用いられる。
【０１３１】
一方、無線基地局１０は、ＣＵＥ＃３から送信許可情報（ＵＬグラント）の送信要求を受信すると、ＰＵＳＣＨスケジューラ１１１Ｂ（図６参照）によって、当該ＣＵＥ＃３がＵＬ送信に使用してよい周波数リソースの割り当てを決定する（処理Ｐ２０）。図９の例では、ＲＢ＃１がＣＵＥ＃３に割り当てられる。
【０１３２】
ＣＵＥ＃３に割り当てる周波数リソースＲＢ＃１が決定すると、無線基地局１０は、ＲＢ＃１を示すリソース割当情報を含むＵＬグラントをＵＬグラント生成部１１２Ｂ（図６参照）によって生成して例えばＰＤＣＣＨにてＣＵＥ＃３宛に送信する（処理Ｐ２１）。
【０１３３】
ＣＵＥ＃３は、ＰＤＣＣＨ復調部２３２（図８参照）によりＵＬグラントの受信、復調及び復号に成功すると、図４に例示したように４ｍｓ後に、当該ＵＬグラントが示すＲＢ＃１を用いてＵＬ送信（ＰＵＳＣＨ信号の送信）を行なう（処理Ｐ２２）。
【０１３４】
ここで、ＣＵＥ＃３宛のＵＬグラントを含むＰＤＣＣＨ信号は、無線基地局１０のセル１００（図１参照）内に位置するＤＵＥ＃１でも受信される。ＤＵＥ＃１は、処理Ｐ１９で検出したＣＵＥ＃３のＣ−ＲＮＴＩを用いて、ＣＵＥ＃３宛のＰＤＣＣＨ信号の復号をＰＤＣＣＨ復調部２３２（図７参照）によって試行する。復号に成功すると、ＤＵＥ＃１は、無線基地局１０がＣＵＥ＃３にＵＬのセルラー通信のために割り当てた周波数リソースＲＢ＃１の割当情報を取得できる（処理Ｐ２３）。
【０１３５】
したがって、ＤＵＥ＃１は、ＣＵＥ＃３に無線基地局１０が割り当てたＲＢ＃１を使用してＤＵＥ＃２宛にＤ２Ｄ通信の送信を行なうと、干渉が生じる可能性のあることを認識し、ＲＢ＃１を用いたＤ２Ｄ通信の送信は行なわない（処理Ｐ２４）。代替的に、ＤＵＥ＃１は、ＲＢ＃１と重複しない他の周波数リソースを用いてＤＵＥ＃２宛の送信を行なってよい。
【０１３６】
Ｄ２Ｄ通信の送信データの制御は、例えば、スケジューラ２６１（図７参照）が、ＲＢ＃１と重複する周波数リソース（ＲＢ）を避けるようにして、Ｄ２Ｄデータ信号生成部２６４に与えるＤ２Ｄデータのスケジューリングを行なうことで実施されてよい。
【０１３７】
別言すると、ＤＵＥ＃１は、ＣＵＥ＃３宛のＵＬグラントが示す周波数リソースとは異なるＲＢ（Ｄ２Ｄリソース）であれば、当該Ｄ２Ｄリソースを用いてＤＵＥ＃２宛の送信を行なってよい。
【０１３８】
例えば、図９の処理Ｐ２５〜Ｐ２９に例示するように、ＣＵＥ＃３宛のＵＬグラントがＲＢ＃２を示す場合、ＤＵＥ＃１は、ＲＢ＃１を用いればセルラー通信との干渉は生じないので、ＲＢ＃１を用いてＤＵＥ＃２宛の送信を行なってよい。
【０１３９】
なお、ＤＵＥ＃１とＤ２Ｄ通信のペアを成すＤＵＥ＃２も、上述したＤＵＥ＃１での処理と同様にして、ＣＵＥ＃３がセルラー通信に用いるＲＢ＃１の使用を避けてＤ２Ｄ通信の送信を行なうことができる。他のＤ２Ｄ通信のペアを成すＤＵＥ２０についても同様である。
【０１４０】
以上のようにして、セルラー通信とＤ２Ｄとの干渉を回避することができる。したがって、Ｄ２Ｄ通信の受信側のＤＵＥ２０（例えば、ＤＵＥ＃２）は、セルラー通信の干渉成分を含まないか、含んでもＤ２Ｄ通信にとって十分な品質のデータ信号を送信側のＤＵＥ２０（例えば、ＤＵＥ＃１）から受信できる。
【０１４１】
また、Ｄ２Ｄ通信の送信側ＤＵＥ２０は、データ送信を行なっても受信側ＤＵＥ２０で正しく受信される確率の低い周波数リソースを用いた送信を行なわないので、不必要なデータ送信によって周辺の通信に干渉を与えてしまうことを回避できる。別言すると、送信側ＤＵＥ２０が、他の通信の干渉源となることを回避できる。「他の通信」とは、例示的に、送信側ＤＵＥ２０の近傍に位置するＣＵＥ２０のセルラー通信や別のＤ２Ｄ通信等である。
【０１４２】
（第２実施形態）
上述した第１実施形態では、ＣＵＥ＃３宛のＵＬグラントの復調、復号に成功してＣＵＥ＃３のＣ−ＲＮＴＩを検出したＤＵＥ＃１が、自律的に、Ｄ２Ｄ通信の送信に用いる周波数リソースを制御（スケジューリング）する例について説明した。
【０１４３】
第２実施形態では、ＣＵＥ＃３のＣ−ＲＮＴＩを検出したＤＵＥ＃１が、無線基地局１０に当該Ｃ−ＲＮＴＩを通知することで、無線基地局１０にセルラー通信とＤ２Ｄ通信との干渉を回避するよう周波数リソースをスケジューリングさせる例について説明する。
【０１４４】
当該干渉回避方法は、第１実施形態の「第１の干渉回避方法」に対して「第２の干渉回避方法」に相当する。なお、第２実施形態において、無線基地局１０、ＤＵＥ２０Ｄ、及び、ＣＵＥ２０Ｃの構成例は、それぞれ、図６〜図８に例示した構成と同様でよい。
【０１４５】
（第２の干渉回避方法）
図１０は、第２実施形態に係る無線通信システムの動作（第２の干渉回避方法）を説明するシーケンス図である。図１０において、処理Ｐ３１〜Ｐ３９に示す処理は、それぞれ、図９に例示した処理Ｐ１１〜Ｐ１９と同一若しくは同様である。
【０１４６】
すなわち、無線基地局１０がＤ２Ｄ通信用の周波数リソース（ＲＢ＃０〜ＲＢ＃９）を設定してから、ＤＵＥ＃１がＣＵＥ＃３宛のＰＤＣＣＨ信号の復調、復号に成功してＣ−ＲＮＴＩを検出するまでの処理は、既述の第１の干渉回避方法と同じでよい。
【０１４７】
ＣＵＥ＃３のＣ−ＲＮＴＩを検出したＤＵＥ＃１は、当該Ｃ−ＲＮＴＩを無線基地局１０に通知（「報告」と称してもよい。）する（処理Ｐ４０）。当該通知は、例示的に、ＰＵＳＣＨにて行なってよい。ＣＵＥ＃３のＣ−ＲＮＴＩを含むＰＵＳＣＨ信号は、図７に例示したＰＵＳＣＨ生成部２４２にて生成されてよい。
【０１４８】
例えば、ＰＵＳＣＨ生成部２４２は、ＤＳ検出部２４１で検出された干渉源ＣＵＥ＃３のＣ−ＲＮＴＩを受信（図７の点線矢印参照）し、当該Ｃ−ＲＮＴＩを含むＰＵＳＣＨ信号を生成してよい。したがって、図７に例示したＰＵＳＣＨ生成部２４２及び送信ＲＦ部２２４は、干渉源ＣＵＥ２０の識別情報を無線基地局１０に送信する送信部の一例であると捉えてよい。
【０１４９】
ただし、無線基地局１０へのＣ−ＲＮＴＩの通知は、ＰＵＳＣＨとは異なるＵＬの物理チャネルを用いて行なってもよい。また、当該通知は、Ｃ−ＲＮＴＩに代えてＣＵＥ＃３を無線基地局１０が識別可能な情報を用いて行なってもよい。
【０１５０】
別言すると、無線基地局１０に通知する情報は、Ｄ２Ｄ通信の干渉源となり得るＣＵＥ＃３を無線基地局１０が識別可能な情報であればよい。したがって、Ｃ−ＲＮＴＩに代えてＣＵＥ＃３に恒久的に割り当てられているような固有の機器識別情報を用いてもよい。ただし、一時的な情報であるＣ−ＲＮＴＩを用いた方が通信のセキュリティを確保し易いといえる。
【０１５１】
無線基地局１０は、ＤＵＥ＃１が送信元である、ＣＵＥ＃３のＣ−ＲＮＴＩを含むＰＵＳＣＨ信号をＰＵＳＣＨ復調部１２３（図６参照）にて受信、復調すると、ＣＵＥ＃３のＣ−ＲＮＴＩをスケジューラ１１１（例えば、ＰＵＳＣＨスケジューラ１１１Ｂ）に与える。
【０１５２】
スケジューラ１１１Ｂは、当該Ｃ−ＲＮＴＩを基に、報告元のＤＵＥ＃１に対する干渉源となり得るＣＵＥ＃３を識別し、ＤＵＥ＃１に割り当てたＤ２Ｄリソースと重複しない周波数リソースをＣＵＥ＃３に割り当てる（処理Ｐ４１）。
【０１５３】
図１０の例では、処理Ｐ３６及びＰ３７においてＤ２ＤリソースＲＢ＃１がＤＵＥ＃１に割り当てられているので、ＲＢ＃１と重複しない例えばＲＢ＃２がＣＵＥ＃３に割り当てられる。
【０１５４】
したがって、スケジューラ１１１は、ＤＵＥ＃１から受信したＣ−ＲＮＴＩによって識別されるＣＵＥ＃３が無線基地局１０とのセルラー通信に用いる無線リソースを、Ｄ２Ｄリソースと重複しないリソースに制御する制御部の一例であると捉えてよい。
【０１５５】
ＣＵＥ＃３に対するＲＢ＃２の割り当てが決定すると、無線基地局１０は、ＲＢ＃２を示すリソース割当情報を含むＵＬグラントをＵＬグラント生成部１１２Ｂによって生成してＰＤＣＣＨにて送信する（処理Ｐ４２）。
【０１５６】
ＣＵＥ＃３は、無線基地局１０からＵＬグラントをＰＤＣＣＨ復調部２３２（図８参照）にて受信、復調すると、ＰＵＳＣＨの送信にＲＢ＃２が割り当てられたことを認識するので、ＲＢ＃２にてＰＵＳＣＨの送信を行なう（処理Ｐ４３）。
【０１５７】
一方、ＤＵＥ＃１は、ＤＵＥ＃２に対するＤ２Ｄ通信の送信に用いるＲＢ＃１と重複しないＲＢ＃２がＣＵＥ＃３のＰＵＳＣＨに割り当てられているので、ＲＢ＃１を用いてＤ２Ｄ通信の送信を行なっても（処理Ｐ４４）、干渉は生じない。
【０１５８】
以上のようにして、セルラー通信とＤ２Ｄとの干渉を回避することができる。したがって、Ｄ２Ｄ通信の受信側のＤＵＥ２０（例えば、ＤＵＥ＃２）は、セルラー通信の干渉成分を含まないか、含んでもＤ２Ｄ通信にとって十分な品質のデータ信号を送信側のＤＵＥ２０（例えば、ＤＵＥ＃１）から受信できる。
【０１５９】
なお、ＤＵＥ＃１とＤ２Ｄ通信のペアを成すＤＵＥ＃２が、上述したＤＵＥ＃１での処理と同様にして、干渉源となり得るＣＵＥ＃３のＣ−ＲＮＴＩを検出して無線基地局１０へ報告してもよい。他のＤ２Ｄ通信のペアを成すＤＵＥ２０についても同様である。
【０１６０】
（第３実施形態）
次に、図１１に例示するフローチャートを参照して、第３実施形態（第３の干渉回避方法）について説明する。第３実施形態では、ＤＵＥ２０が、ＣＵＥ２０の送信したＤＳを受信、検出すると、無線基地局１０がどの通信にどの周波数リソースを割り当てたかに関わらず、Ｄ２Ｄ通信を一時的に停止する。なお、第３実施形態においても、無線基地局１０、ＤＵＥ２０Ｄ、及び、ＣＵＥ２０Ｃの構成例は、それぞれ、図６〜図８に例示した構成と同様でよい。
【０１６１】
図１１に例示するように、ＤＵＥ２０（例えば図１及び図５に例示するＤＵＥ＃１）は、Ｄ２Ｄ通信のペアを成す他のＤＵＥ２０を探索するためのＤＳをＤＳ生成部２６３（図７参照）によって生成して送信する（処理Ｐ５１）。
【０１６２】
ＤＵＥ＃１は、ＤＳ応答信号を受信するまで（処理Ｐ５２でＹｅｓと判定されるまで）、周期的にＤＳの送信を繰り返す（処理Ｐ５２のＮｏルート）。ＤＳ応答信号の受信がＤＳ応答検出部２５３にて検出されると（処理Ｐ５２でＹｅｓと判定されると）、ＤＵＥ＃１は、ＤＳ応答信号の送信元であるＤＵＥ２０（例えば図１及び図５に例示するＤＵＥ＃２）とＤ２Ｄ通信のペアを形成する（処理Ｐ５３）。
【０１６３】
Ｄ２Ｄ通信のペアが形成されると、ＤＵＥ＃１は、無線基地局１０宛にＤ２Ｄリソースの割当要求を例えばＰＵＳＣＨにて送信する（処理Ｐ５４）。ＰＵＳＣＨ信号は、例えば図７に例示したＰＵＳＣＨ生成部２４２によって生成される。
【０１６４】
ＤＵＥ＃１は、Ｄ２Ｄリソースの割当情報を無線基地局１０から例えばＰＤＳＣＨにて受信する（処理Ｐ５５）。その後、ＤＵＥ＃１は、ＣＵＥ２０（例えば図５のＣＵＥ＃３）が送信したＤＳを受信するか否かを監視する（処理Ｐ５６及びＰ５７）。
【０１６５】
ＤＵＥ＃１は、ＣＵＥ＃３が送信したＤＳの受信を例えばＤＳ検出部２５２（図７参照）にて検出すると（処理Ｐ５７でＹｅｓの場合）、Ｄ２Ｄ通信の送信を一定時間待機し（処理Ｐ５８）、ＣＵＥ２０が送信するＤＳの受信監視を継続する。「一定時間」は、例示的に、ミリ秒オーダの時間であってよい。
【０１６６】
なお、ＤＳの受信検出から待機する時間は、必ずしも一定時間でなくてもよく、可変であってもよい。例えば、ＤＳの受信を検出したＤＵＥ＃１の移動速度に応じて待機時間を可変にしてよい。非限定的な一例を挙げると、ＤＵＥ＃１の移動速度が遅いほど、干渉の発生し易い環境の変化が少ないと考えられるから、待機時間を長くしてよい。
【０１６７】
ＣＵＥ２０が送信したＤＳの受信を検出しなければ（処理Ｐ５７でＮｏの場合）、ＤＵＥ＃１は、処理Ｐ５５で受信したＤ２Ｄリソースの割当情報が示す周波数リソースにてＤ２Ｄデータ信号の送信を行なう（処理Ｐ５９）。
【０１６８】
ＤＵＥ＃１は、ＤＵＥ＃２宛の未送信のＤ２Ｄデータ信号が無くなれば（処理Ｐ６０でＮｏの場合）、処理を終了する。一方、ＤＵＥ＃２宛の未送信のＤ２Ｄデータ信号が残っていれば（処理Ｐ６０でＹｅｓの場合）、ＤＵＥ＃１は、現タイミングがＣＵＥ２０によるＤＳの送信タイミングに相当するか否かをチェックする（処理Ｐ６１）。
【０１６９】
なお、ＤＵＥ＃１は、ＣＵＥ２０がＤＳを送信するタイミング（例えば、周期）を示す情報（以下「ＣＵＥ−ＤＳ送信タイミング情報」と称することがある。）を記憶しておいてよい。ＣＵＥ−ＤＳ送信タイミング情報は、ＣＵＥ２０との間で既知の情報として予めＤＵＥ２０に設定、記憶されてもよいし、ＣＵＥ２０（あるいは無線基地局１０）から通知されてもよい。
【０１７０】
処理Ｐ６１でのチェックの結果、現タイミングがＣＵＥ２０によるＤＳの送信タイミングに相当しなければ（処理Ｐ６１でＮｏの場合）、ＤＵＥ＃１は、ＤＵＥ＃２宛のＤ２Ｄデータ信号が無くなるまで送信を継続する。
【０１７１】
一方、現タイミングがＣＵＥ２０によるＤＳの送信タイミングに相当すれば（処理Ｐ６１でＹｅｓの場合）、ＤＵＥ＃１は、処理Ｐ５６へ戻り、ＣＵＥ２０からＤＳが受信されるか否かを監視する。
【０１７２】
なお、ＤＵＥ＃１とＤ２Ｄ通信のペアを成すＤＵＥ＃２も、上記と同様の処理Ｐ５１〜Ｐ６１を実施してよい。
【０１７３】
以上のように、ＤＵＥ２０が、ＣＵＥ２０の送信したＤＳを受信、検出すると、無線基地局１０がどの通信にどの周波数リソースを割り当てたかに関わらず、Ｄ２Ｄ通信を一時的に停止するので、セルラー通信とＤ２Ｄ通信との干渉を回避できる。
【０１７４】
したがって、Ｄ２Ｄ通信の受信側ＤＵＥ２０（例えば、ＤＵＥ＃２）は、送信側ＤＵＥ２０（例えば、ＤＵＥ＃１）がＤ２Ｄデータ信号を送信するときには、十分な品質のデータ信号を受信できる。
【０１７５】
また、Ｄ２Ｄ通信の送信側ＤＵＥ２０は、データ送信を行なっても受信側ＤＵＥ２０で正しく受信される確率の低いタイミングでの送信を行なわないので、不必要なデータ送信によって周辺のセルラー通信や他のＤ２Ｄ通信に干渉を与えてしまうことを回避できる。
【０１７６】
なお、上述した例では、ＣＵＥ＃３からのＤＳを検出したＤＵＥ＃１は、一定時間待機後に、再度、ＣＵＥ＃３（又は他のＣＵＥ２０）からＤＳが受信されるか否かを監視している。しかし、いったんＣＵＥ２０からのＤＳを検出すれば、ＤＵＥ２０は、一定時間待機後に、ＤＳの受信監視を行なわずに、Ｄ２Ｄ通信の送信を試行してもよい。ＤＳ検出後の時間経過により、Ｄ２Ｄ通信の送信を実施しても干渉が発生しない場合もあるからである。
【０１７７】
（第４実施形態）
次に、図１２を参照して、第４実施形態に係る干渉回避方法について説明する。
上述した第３実施形態では、ＤＵＥ２０は、ＣＵＥ２０が送信したＤＳの受信検出に応じてＤ２Ｄ通信を一時的に停止したが、第４実施形態では、受信検出したＤＳの個数が既定値（例えば、２以上の整数）以上になってから、Ｄ２Ｄ通信を一時的に停止してもよい。
【０１７８】
また、ＤＵＥ２０は、受信検出したＤＳの個数が既定値に達するまでは、第１実施形態と同様に、ＣＵＥ２０宛のＵＬグラントの復号を試行して当該ＣＵＥ２０に割り当てられた周波数リソースを避けるようにしてＤ２Ｄ通信を行なってよい。
【０１７９】
なお、第４実施形態においても、無線基地局１０、ＤＵＥ２０Ｄ、及び、ＣＵＥ２０Ｃの構成例は、それぞれ、図６〜図８に例示した構成と同様でよい。
【０１８０】
図１２に例示するように、ＤＵＥ２０（例えば、ＤＵＥ＃１）は、第３実施形態と同様にして、他のＤＵＥ２０（例えば、ＤＵＥ＃２）とＤ２Ｄ通信のペアを形成した後、ＣＵＥ２０が送信したＤＳが受信、検出されるか否かを監視する（処理Ｐ７１〜Ｐ７７）。
【０１８１】
ＤＳが受信、検出されると、ＤＵＥ＃１は、所定時間内に受信を検出したＤＳの個数（以下「ＤＳ受信数」と称する。）が既定値以上か否かをチェックする（処理Ｐ７７のＹｅｓルートから処理Ｐ７８）。なお、「所定時間」は、例示的に、ＣＵＥ２０によるＤＳの送信周期よりも短い時間に設定されてよい。ＤＳ受信数についての既定値（別言すると、閾値）は、ＤＵＥ＃１に備えられたメモリ（図示省略）に記憶されてよい。当該メモリは、例えば図７に例示したスケジューラ２６１に備えられてよい。
【０１８２】
ＤＳ受信数が既定値以上であれば（処理Ｐ７８でＹｅｓの場合）、ＤＵＥ＃１は、ＤＵＥ＃２とのＤ２Ｄ通信を一定時間待機し（処理Ｐ７９）、ＣＵＥ２０からＤＳが受信、検出されるか否かの監視を継続する。
【０１８３】
一方、ＤＳ受信数が既定値未満であれば（処理Ｐ７８でＮｏの場合）、ＤＵＥ＃１は、受信したＤＳの「メッセージ」（図５参照）から、Ｄ２Ｄ通信の干渉源となり得るＣＵＥ２０（例えば、ＣＵＥ＃３）のＣ−ＲＮＴＩを検出、取得する（処理Ｐ８０）。
【０１８４】
ＣＵＥ＃３のＣ−ＲＮＴＩを検出すると、ＤＵＥ＃１は、当該Ｃ−ＲＮＴＩを用いて、ＣＵＥ＃３宛にＰＤＣＣＨにて無線基地局１０から送信されるＵＬグラントの復調、復号を試行する。
【０１８５】
ＣＵＥ＃３宛のＵＬグラントの復号に成功すれば（処理Ｐ８１でＹｅｓの場合）、ＤＵＥ＃１は、当該ＵＬグラントが示すリソース割当情報を記憶する。当該リソース割当情報は、既述のメモリに記憶されてよい。当該メモリに既にリソース割当情報が記憶されていれば、ＤＵＥ＃１は、当該リソース割当情報（以下「蓄積情報」とも称する。）を最新のＵＬグラントが示すリソース割当情報に更新してよい（処理Ｐ８２）。
【０１８６】
ＤＵＥ＃１は、ＣＵＥ２０に割り当てられたリソース割当情報の蓄積情報を参照して（処理Ｐ８３）、処理Ｐ７５で無線基地局１０から割り当てられたＤ２Ｄリソースと、ＣＵＥ＃３宛のＵＬグラントが示す周波数リソースとの重複をチェックする（処理Ｐ８４）。例えば、ＤＵＥ＃１は、Ｄ２Ｄ通信のデータ信号（例えば、サブフレーム）の送信タイミングで当該リソース重複が生じるか否かをチェックする。
【０１８７】
リソース重複が生じなければ（処理Ｐ８４でＮｏの場合）、ＤＵＥ＃１は、第３実施形態と同様に、処理Ｐ７５で受信したＤ２Ｄリソースの割当情報が示す周波数リソースにてＤ２Ｄデータ信号の送信を行なう（処理Ｐ８５）。
【０１８８】
ＤＵＥ＃１は、ＤＵＥ＃２宛の未送信のＤ２Ｄデータ信号が無くなれば（処理Ｐ８６でＮｏの場合）、処理を終了する。一方、ＤＵＥ＃２宛の未送信のＤ２Ｄデータ信号が残っていれば（処理Ｐ８６でＹｅｓの場合）、ＤＵＥ＃１は、第３実施形態と同様に、現タイミングがＣＵＥ２０によるＤＳの送信タイミングに相当するか否かをチェックする（処理Ｐ８７）。
【０１８９】
処理Ｐ８７でのチェックの結果、現タイミングがＣＵＥ２０によるＤＳの送信タイミングに相当しなければ（処理Ｐ８７でＮｏの場合）、ＤＵＥ＃１は、処理Ｐ８３へ戻り、ＣＵＥ２０のリソース割当情報の蓄積情報を参照してリソース重複のチェックを実施する。
【０１９０】
一方、現タイミングがＣＵＥ２０によるＤＳの送信タイミングに相当すれば（処理Ｐ８７でＹｅｓの場合）、ＤＵＥ＃１は、処理Ｐ７６へ戻り、ＣＵＥ２０からＤＳが受信されるか否かを監視する。
【０１９１】
なお、処理Ｐ８１において、ＣＵＥ＃３宛のＵＬグラントの復号に失敗した場合（処理Ｐ８１でＮｏの場合）、ＤＵＥ＃１は、処理Ｐ８３〜Ｐ８７の処理を実施する。例えば、ＤＵＥ＃１は、ＣＵＥ２０に割り当てられたリソース割当情報の過去の蓄積情報を基に、リソース重複チェックを実施して、Ｄ２Ｄ通信の可否を判断してよい。
【０１９２】
また、処理Ｐ８４でのリソース重複チェックの結果、リソース重複が生じる場合（処理Ｐ８４でＹｅｓの場合）、ＤＵＥ＃１は、現タイミングがＣＵＥ２０によるＤＳの送信タイミングに相当するか否かをチェックする（処理Ｐ８７）。
【０１９３】
チェックの結果、現タイミングがＣＵＥ２０によるＤＳの送信タイミングに相当しなければ（処理Ｐ８７でＮｏの場合）、ＤＵＥ＃１は、処理Ｐ８３へ戻り、ＣＵＥ２０のリソース割当情報の蓄積情報を参照してリソース重複のチェックを実施する。
【０１９４】
なお、処理Ｐ７７においてＤＳが検出されなければ（Ｎｏの場合）、ＤＵＥ＃１は、処理Ｐ８３以降の処理に進んでよい。また、ＤＵＥ＃１とＤ２Ｄ通信のペアを成すＤＵＥ＃２も、上記と同様の処理Ｐ７１〜Ｐ８７を実施してよい。
【０１９５】
以上のように、ＤＵＥ２０は、ＣＵＥ２０からのＤＳ受信数が既定値以上であれば、Ｄ２Ｄ通信を停止し、ＤＳ受信数が既定値未満であれば、第１実施形態と同様にして、ＣＵＥ２０に割り当てられた周波数リソースの使用を避けてＤ２Ｄ通信を実施できる。
【０１９６】
したがって、ＤＳ受信数が既定値以上で干渉源となり得るＣＵＥ２０の数が多いと判断できるときには、ＤＵＥ２０は、Ｄ２Ｄ通信を行なわないことで、セルラー通信とＤ２Ｄ通信との干渉を回避できる。また、ＤＵＥ２０による不必要なデータ送信によって周辺のセルラー通信や他のＤ２Ｄ通信に干渉を与えてしまうことも回避できる。
【０１９７】
一方、ＤＳ受信数が既定値未満で干渉源となり得るＣＵＥ２０の数が少ないと判断できるときには、ＤＵＥ２０は、ＣＵＥ２０に割り当てられた周波数リソースの使用を避けてＤ２Ｄ通信を実施できるので、周波数リソースの有効利用を図ることができる。この場合、Ｄ２Ｄ通信の受信側ＤＵＥ２０（例えば、ＤＵＥ＃２）は、送信側ＤＵＥ２０（例えば、ＤＵＥ＃１）から、十分な品質のデータ信号を受信できる。
【０１９８】
（その他）
ＣＵＥ２０によるＤＳの送信には例外があってよい。Ｄ２Ｄ通信用の無線リソースをセルラー通信の無線リソースと共用する場合には、上述したように干渉回避のためにＣＵＥ２０がＤＳを送信することが好ましい。
【０１９９】
しかし、ＤＳ送信機能を具備しないＣＵＥは、ＤＳを送信できないため、自身のＣ−ＲＮＴＩを送信できない。ＤＳ送信機能を具備しないＣＵＥに対しては、無線基地局１０が、Ｄ２Ｄ通信用の無線リソース以外の無線リソースを割り当てればよい。
【０２００】
ＤＳ送信機能を具備するＣＵＥ２０であっても、何らかの理由でＤＳを送信しない方が良い場合も、当該ＣＵＥ２０に対しては、無線基地局１０が、Ｄ２Ｄ通信用の無線リソース以外の無線リソースを割り当てればよい。
【０２０１】
例えば、或る速度閾値を超える速度で高速移動するＣＵＥ２０が送信したＤＳは、Ｄ２Ｄ通信に対する干渉状態の把握に役立たないことがある。したがって、高速移動するＣＵＥ２０に対しては、無線基地局１０が、Ｄ２Ｄ通信用の無線リソース以外の無線リソースを割り当てることとしてよい。
【０２０２】
別の見方をすると、無線基地局１０は、ＣＵＥ２０の移動速度に応じて当該ＣＵＥ２０からのＤＳの送信可否を制御してよい。例えば、或る速度閾値を超える速度で高速移動するＣＵＥ２０については、ＤＳ送信を停止させることで、ＤＳ送信に用いられる無線リソースの節約やＣＵＥ２０の消費電力低減を図ることができる。
【０２０３】
以上説明したように、上述した各実施形態によれば、セルラー通信がＤ２Ｄ通信に与える干渉を回避しながら、それぞれの通信で無線リソース（例えば、周波数リソース）を共用できるので、無線通信システム１のシステム容量を増大できる。
【０２０４】
別言すると、無線通信システム１においてＤ２Ｄ通信とセルラー通信とが効率良く共存できるので、無線通信性能を向上できる。
【０２０５】
なお、上述した例では、セルラー通信とＤ２Ｄ通信とで共用される（別言すると、干渉の発生し得る）無線リソースの一例として、ＵＬの周波数リソースを例にしたが、ＤＬの周波数リソースであってもよいし、時間リソースであってもよい。
【符号の説明】
【０２０６】
１  無線通信システム
１０  無線基地局
１１１  スケジューラ
１１１Ａ  Ｄ２Ｄスケジューラ
１１１Ｂ  ＰＵＳＣＨスケジューラ
１１２Ａ  ＰＤＳＣＨ生成部
１１２Ｂ  ＰＤＣＣＨ（ＵＬグラント）生成部
１１３  物理チャネル多重部
１１４  送信ＲＦ部
１１５  送信アンテナ
１２１  受信アンテナ
１２２  受信ＲＦ部
１２３  ＰＵＳＣＨ復調部
２０−１〜２０−Ｎ，２０Ｃ，２０Ｄ  移動局（ＵＥ、ＤＵＥ、ＣＵＥ）
２１１，２１２，２１３  受信アンテナ
２１４，２１５  送信アンテナ
２２１，２２２，２２３  受信ＲＦ部
２２４，２２５  送信ＲＦ部
２３１  ＰＤＳＣＨ復調部
２３２  ＰＤＣＣＨ復調部
２４１  ＤＳ検出部
２４２  ＰＵＳＣＨ生成部
２５１  Ｄ２Ｄデータ信号復調部
２５２  ＤＳ検出部
２５３  ＤＳ応答検出部
２６１  スケジューラ
２６２  ＤＳ応答生成部
２６３，２７１  ＤＳ生成部
２６４  Ｄ２Ｄデータ信号生成部
２６５  切替部
２７２  物理チャネル多重部
【図１】
0006456949.tif 000002
【図２】
0006456949.tif 000003
【図３】
0006456949.tif 000004
【図４】
0006456949.tif 000005
【図５】
0006456949.tif 000006
【図６】
0006456949.tif 000007
【図７】
0006456949.tif 000008
【図８】
0006456949.tif 000009
【図９】
0006456949.tif 000010
【図１０】
0006456949.tif 000011
【図１１】
0006456949.tif 000012
【図１２】
0006456949.tif 000013